(57)【要約】【課題】光通信ネットワークにおける光ファイバの故障及び故障箇所を検出し、故障が検出された際に通信手段を無線回線に切り替えて通信サービスを確保すること。【解決手段】ＯＮＵ装置１の故障検出部１０４は、電気・光／光・電気変換部１０２が受信した光信号の強度などから光ファイバ回線１０１の故障を検出する。光ファイバ回線１０１に故障があると検出されると、故障検出部１０４は、ＯＮＵ装置１の表示装置へ故障通知を行い、無線モジュール部１１０の電源に給電し、無線モジュール部１１０の電源を投入する。経路切替部１０８は、データの通信経路を光ファイバ回線を利用した通信から無線回線を利用した通信に切り替える。【選択図】図１
2010278620.tif 000002
【特許請求の範囲】
【請求項１】
光通信ネットワークの終端に設置され、当該光通信ネットワークを構成する光ファイバ回線に接続する光回線終端装置であって、
前記光ファイバ回線を伝送する光信号を受信し、該光信号を電気信号に変換することによって、或いは、電気信号を光信号に変換し、前記光ファイバ回線に出力することによって、前記光ファイバ回線を利用した通信を行う変換部と、
電気信号を無線信号に変換し、或いは、無線信号を電気信号に変換し、無線回線を利用した通信を行う無線モジュール部と、
前記光信号を測定して前記光ファイバ回線の故障を検出する故障検出部と、
前記故障検出部が前記光ファイバ回線の故障を検出した場合、前記光ファイバ回線を利用した通信から、前記無線回線を利用した通信に切り替える経路切替部と、
を有する
ことを特徴とする光回線終端装置。
【請求項２】
前記経路切替部は、前記故障が検出された光ファイバ回線が当該光ファイバ回線を利用した通信が可能な状態に復旧した場合、前記無線回線を利用した通信から前記光ファイバ回線を利用した通信に切り替える
ことを特徴とする請求項１に記載の光回線終端装置。
【請求項３】
前記故障検出部により前記光ファイバ回線の故障が検出され、前記経路切替部により前記光ファイバ回線を利用した通信から前記無線回線を利用した通信に切り替えられた場合、前記無線回線を利用した通信における予め定められた通信プロトコル或いは予め定められた通信サービスを規制する規制処理部を有する
ことを特徴とする請求項１又は請求項２に記載の光回線終端装置。
【請求項４】
自装置を一意に識別する識別情報を記憶する識別子記憶部を有し、
前記無線モジュール部は、前記故障検出部により前記光ファイバ回線の故障が検出された場合、前記識別情報を前記識別子記憶部から読み出し、当該識別情報を無線信号に変換し、前記無線回線を利用した通信によって送信する
ことを特徴とする請求項１から請求項３のいずれか1項に記載の光回線終端装置。
【請求項５】
請求項４に記載の複数の光回線終端装置と、前記光ファイバ回線を分岐して当該複数の光回線終端装置を接続する分岐装置と、前記光通信ネットワークに接続され、局側に設置される光回線収容装置と、前記光通信ネットワークに接続される故障箇所検出装置とを具備する通信システムにおける故障箇所検出装置であって、
前記光通信ネットワークにおける前記光回線終端装置の接続関係情報を記憶する接続関係記憶部と、
前記光回線終端装置から送信される識別情報と、前記接続関係情報とにより前記光ファイバ回線の故障箇所を特定する故障箇所特定部と
を有する
ことを特徴とする故障箇所検出装置。
【請求項６】
無線回線を利用した通信機能を有し、光通信ネットワークの終端に設置され、光ファイバ回線に接続された光回線終端装置における通信経路切替方法であって、
故障検出部が前記光ファイバ回線を伝送する光信号を測定して前記光ファイバ回線の故障を検出するステップと、
前記故障検出部により前記光ファイバ回線の故障が検出された場合、経路切替部が、前記光ファイバ回線を利用した通信から、前記無線回線を利用した通信に切り替えるステップと
を有することを特徴とする通信経路切替方法。
【請求項７】
光ファイバ回線により構成される光通信ネットワークの終端に設置される複数の光回線終端装置と、前記光ファイバ回線を分岐させて前記複数の光回線終端装置を接続する分岐装置と、前記光通信ネットワーク及び無線回線により前記複数の光回線終端装置と接続された光回線収容装置と、前記光通信ネットワークに接続された故障箇所検出装置とを具備する通信システムにおける故障箇所検出方法であって、
前記光回線終端装置が、当該光回線終端装置に接続された前記光ファイバ回線の信号を測定して当該光ファイバ回線の故障を検出するステップと、
前記光回線終端装置が、前記光ファイバの故障を検出した場合、前記光ファイバ回線を利用した通信から、前記無線回線を利用した通信に切り替えるステップと、
前記光回線終端装置が、自装置を一意に識別する識別情報を前記無線回線を介して前記故障箇所検出装置に送信するステップと、
前記故障箇所検出装置が、受信した前記光回線終端装置の識別情報と、前記光通信ネットワークにおける前記複数の光回線終端装置の接続関係を示す接続関係情報とから、前記光ファイバ回線の故障箇所を検出するステップと
を有することを特徴とする故障箇所検出方法。
【発明の詳細な説明】
【技術分野】
【０００１】
本発明は、光通信ネットワークにおける光ファイバ回線の故障を検出する光回線終端装置、故障箇所検出装置、通信経路切替方法、及び故障箇所検出方法に関する。
【背景技術】
【０００２】
従来のパッシブ光通信ネットワーク（ＰＯＮ：Passive Optical Network）形態で接続された光アクセスネットワークでは、局側設置の光回線収容装置（ＯＬＴ：Optical Line Terminal）１台に対し、加入者側設置の光回線終端装置（ＯＮＵ：Optical Network Unit）が最大３２台接続されている。
ＯＮＵ装置は、光通信ネットワークの終端として設置され、光信号／電気信号の変換と光信号の多重、分離を行う装置である（例えば、非特許文献１参照）。
図１１は、従来のＯＮＵ装置１０００の機能ブロック構成を示す図である。
図１１に示すように、ＯＮＵ装置１０００は、電気・光／光・電気変換部１００２、故障検出部１００４、インタフェース変換部１００６を有する。
【０００３】
電気・光／光・電気変換部１００２は、光ファイバ１００１を通して受信した光信号を電気信号に変換し、インタフェース変換部１００６に出力する。インタフェース変換部１００６は、電気信号をデジタル信号に変換し、イーサネット（登録商標）フレーム等の構造に準拠したデジタル信号に変換する。インタフェース変換部１００６によって変換されたデータはルータなどのユーザ設備に出力される。
一方、ユーザ側からのデータは、インタフェース変換部１００６により電気信号に変換され、電気・光／光・電気変換部１００２によって光信号に変換されて、光通信ネットワークに出力される。
【０００４】
電気・光／光・電気変換部１００２が光信号を受信する際、故障検出装置１００４は、受信した光信号を観察することで、光信号を伝える光ファイバ１０００の故障検出を行う。ＯＮＵ装置１０００における光ファイバ回線の故障箇所検出方法として、光パルス試験方法がある（例えば、非特許文献２参照）。光パルス試験方法は、光パルスを光ファイバに入力し、反射波を測定することで故障箇所の特定を行う。
【先行技術文献】
【非特許文献】
【０００５】
【非特許文献１】濱口他、「グローバルＡＴＭ−ＰＯＮシステム用ＯＮＵ装置の開発」、電子情報通信学会、総合大会Ｂ−８−４、２０００年３月７日
【非特許文献２】「光ファイバ故障時における探索方法」、ＮＴＴジャーナル、２００６年１０月１日
【発明の概要】
【発明が解決しようとする課題】
【０００６】
しかしながら、従来の電話局側に設置されたＯＬＴ装置と複数の加入者側のＯＮＵ装置とがＰＯＮ形態により光ファイバ回線で接続される場合、局からの光信号はスプリッタなどの分岐装置により光ファイバ回線が分岐されるため、光ファイバ回線の切断などにより不具合が生じた場合、非特許文献２に記載された手法では、局側のＯＬＴから故障箇所により通信が不可能となったＯＮＵ装置を特定することが難しいという問題があった。
例えば、局側のＯＬＴにおいて、あるＯＮＵ装置からの光信号が検知されない場合、当該ＯＮＵ装置の発光が抑制されているのか、当該ＯＮＵ装置のスイッチが切られて電源供給が停止されているのか、当該ＯＮＵ装置に接続される光ファイバ回線が故障しているのか、の区別がＯＬＴにとっては困難であるという問題があった。
【０００７】
また、光パルス試験方法による故障箇所検出は、他ユーザが使用している光信号が試験信号の雑音になるという問題があった。
また、光ファイバ回線が切断した場合、ＯＮＵ装置は、ＯＬＴからの光信号の受信状態を監視しているため、光ファイバの切断等の故障を検知できるが、光ファイバ回線が切断しているために、局側に異常を通信する手段がなく、早急な対応ができないという問題があった。
【０００８】
本発明は、以上の点に鑑みてなされたものであり、ＰＯＮ形態で接続された光通信ネットワークにおけるＯＮＵ装置とＯＬＴの間で生じた光ファイバの切断などの故障、故障箇所を検出し、故障が検出された際に、通信経路を光ファイバ回線から無線回線に切り替え、極への故障情報の通知や局との緊急通信を行う、或いは、加入者がネットワークからのサービス等を受けられるようにすることを目的とする。
【課題を解決するための手段】
【０００９】
前述した目的を達成するために本発明は、光通信ネットワークの終端に設置され、当該光通信ネットワークを構成する光ファイバ回線に接続する光回線終端装置であって、前記光ファイバ回線を伝送する光信号を受信し、該光信号を電気信号に変換することによって、或いは、電気信号を光信号に変換し、前記光ファイバ回線に出力することによって、前記光ファイバ回線を利用した通信を行う変換部と、電気信号を無線信号に変換し、或いは、無線信号を電気信号に変換し、無線回線を利用した通信を行う無線モジュール部と、前記光信号を測定して前記光ファイバ回線の故障を検出する故障検出部と、前記故障検出部が前記光ファイバ回線の故障を検出した場合、前記光ファイバ回線を利用した通信から、前記無線回線を利用した通信に切り替える経路切替部と、を有することを特徴とする光回線終端装置である。
【００１０】
また、本発明は、上記に記載の発明において、前記経路切替部は、前記故障が検出された光ファイバ回線が当該光ファイバ回線を利用した通信が可能な状態に復旧した場合、前記無線回線を利用した通信から前記光ファイバ回線を利用した通信に切り替えることを特徴とする。
【００１１】
また、本発明は、上記に記載の発明において、前記故障検出部により前記光ファイバ回線の故障が検出され、前記経路切替部により前記光ファイバ回線を利用した通信から前記無線回線を利用した通信に切り替えられた場合、前記無線回線を利用した通信における予め定められた通信プロトコル或いは予め定められた通信サービスを規制する規制処理部を有することを特徴とする。
【００１２】
また、本発明は、上記に記載の発明において、自装置を一意に識別する識別情報を記憶する識別子記憶部を有し、前記無線モジュール部は、前記故障検出部により前記光ファイバ回線の故障が検出された場合、前記識別情報を前記識別子記憶部から読み出し、当該識別情報を無線信号に変換し、前記無線回線を利用した通信によって送信することを特徴とする。
【００１３】
また、第２の発明は、上記に記載の複数の光回線終端装置と、前記光ファイバ回線を分岐して当該複数の光回線終端装置を接続する分岐装置と、前記光通信ネットワークに接続され、局側に設置される光回線収容装置と、前記光通信ネットワークに接続される故障箇所検出装置とを具備する通信システムにおける故障箇所検出装置であって、前記光通信ネットワークの接続関係情報を記憶する接続関係記憶部と、前記光回線終端装置から送信される識別情報と、前記接続関係情報とにより前記光ファイバ回線の故障箇所を特定する故障箇所特定部とを有することを特徴とする故障箇所検出装置である。
【００１４】
また、第３の発明は、無線回線を利用した通信機能を有し、光通信ネットワークの終端に設置され、光ファイバ回線に接続された光回線終端装置における通信経路切替方法であって、故障検出部が前記光ファイバ回線を伝送する光信号を測定して前記光ファイバ回線の故障を検出するステップと、前記故障検出部により前記光ファイバ回線の故障が検出された場合、経路切替部が、前記光ファイバ回線を利用した通信から、前記無線回線を利用した通信に切り替えるステップとを有することを特徴とする通信経路切替方法である。
【００１５】
また、第４の発明は、光ファイバ回線により構成される光通信ネットワークの終端に設置される複数の光回線終端装置と、前記光ファイバ回線を分岐させて前記複数の光回線終端装置を接続する分岐装置と、前記光通信ネットワーク及び無線回線により前記複数の光回線終端装置と接続された光回線収容装置と、前記光通信ネットワークに接続された故障箇所検出装置とを具備する通信システムにおける故障箇所検出方法であって、前記光回線終端装置が、当該光回線終端装置に接続された前記光ファイバ回線の信号を測定して当該光ファイバ回線の故障を検出するステップと、前記光回線終端装置が、前記光ファイバの故障を検出した場合、前記光ファイバ回線を利用した通信から、前記無線回線を利用した通信に切り替えるステップと、前記光回線終端装置が、自装置を一意に識別する識別情報を前記無線回線を介して前記故障箇所検出装置に送信するステップと、前記故障箇所検出装置が、受信した前記光回線終端装置の識別情報と、前記光通信ネットワークにおける前記複数の光回線終端装置の接続関係を示す接続関係情報とから、前記光ファイバ回線の故障箇所を検出するステップとを有することを特徴とする故障箇所検出方法である。
【発明の効果】
【００１６】
本発明によれば、光通信ネットワークの加入者側の光回線終端装置が光ファイバ回線の故障を検出し、局側に早急に通知することができる。
また、光ファイバ回線が故障していても、無線通信によって加入者はデータ通信を行うことが可能となる。
【図面の簡単な説明】
【００１７】
【図１】本発明の第１の実施形態に係るＯＮＵ装置の概略機能ブロック構成図である。
【図２】第１の実施形態に係るＯＮＵ装置の動作を示すフローチャートである。
【図３】本発明の第２の実施形態に係るＯＮＵ装置の概略機能ブロック構成図である。
【図４】第２の実施形態に係るＯＮＵ装置の動作を示すフローチャートである。
【図５】本発明の第３の実施形態に係るＯＮＵ装置の概略機能ブロック構成図である。
【図６】第３の実施形態に係るＯＮＵ装置の動作を示すフローチャートである。
【図７】ＰＯＮ形態の光通信ネットワークの構成の一例を示す図である。
【図８】本発明の第４の実施形態に係る故障箇所検出方法の一例を示す図である。
【図９】本発明の第４の実施形態に係る故障箇所検出方法の一例を示す図である。
【図１０】本発明の第４の実施形態に係る故障箇所検出方法の一例を示す図である。
【図１１】従来のＯＮＵ装置の概略機能ブロック構成図である。
【発明を実施するための形態】
【００１８】
以下に、添付図面を参照しながら、本発明の好適な実施形態について詳細に説明する。
【００１９】
＜第１の実施形態＞
図１は、第１の実施形態におけるＯＮＵ装置１の機能ブロック構成図である。ＯＮＵ装置１は、加入者側に設置される装置であり、電話局側に設置されたＯＬＴ装置と光ファイバ回線１０１により接続されるものである。また、ＯＮＵ装置１は、電気・光／光・電気変換部１０２、故障検出部１０４、インタフェース変換部１０６、経路切替部１０８、インタフェース変換部１０９、無線モジュール部１１０から構成される。
【００２０】
電気・光／光・電気変換部１０２は、光ファイバ回線１０１を通して受信した光信号を電気信号に変換し、変換した電気信号をインタフェース変換部１０６に出力する。
また、電気・光／光・電気変換部１０２は、インタフェース変換部１０６が出力する電気信号を光信号に変換し、変換した光信号を光ファイバ回線１０１に出力する。
【００２１】
インタフェース変換部１０６は、電気・光／光・電気変換部１０２が出力する電気信号をイーサネット（登録商標）フレーム等のデータ構成に準拠したデジタル信号に変換して経路切替部１０８に出力する。インタフェース変換部１０６によって変換されたデジタル信号は、経路切替部１０８を介してデータとして不図示のルータなどのユーザ設備に出力される。
また、インタフェース変換部１０６は、経路切替部１０８が出力するデジタル信号を電気信号に変換して電気・光／光・電気変換部１０２に出力する。
【００２２】
故障検出部１０４は、電気・光／光・電気変換部１０２が受信した光信号を測定して光ファイバ回線１０１の故障検出を行う。なお、故障検出部１０４が行う故障検出は、一般的に公知の方法（例えば、「光ファイバ故障時における探索方法」、ＮＴＴジャーナル、２００６年１０月１日を参照）により故障検出を行う。また、故障検出部１０４は、光ファイバ回線１０１の故障を検出した場合、経路切替部１０８に対してデータの経路の変更を指示する。
【００２３】
経路切替部１０８は、故障検出部１０４が光ファイバ回線１０１の故障を検出した場合、インタフェース変換部１０９を介して無線モジュール部１１０による無線通信を選択し、故障検出部１０４が光ファイバ回線１０１の故障を検出しない場合、インタフェース変換部１０６を介して電気・光／光・電気変換部１０２による光通信を選択する。すなわち、経路切替部１０８は、故障検出部１０４の指示に従い、データの経路、及び、通信手段の変更を行う。これにより、ＯＮＵ装置１は、光ファイバ回線１０１に故障が発生した場合、光ファイバ回線１０１を利用したデータ通信から、無線回線を利用したデータ通信に切り替えることができる。
【００２４】
また、故障検出部１０４は、無線モジュール部１１０に対して給電を行う。インタフェース変換部１０９は、故障検出部１０４或いは経路切替部１０８を介して入力されたデータ等のデジタル信号を電気信号に変換し、無線モジュール部１１０に出力する。無線モジュール部１１０は、無線回線を利用して、局側等とのデータ通信を実現する。
【００２５】
ここで、無線回線を利用する無線通信方式は、例えば、携帯電話（Ｗ−ＣＤＭＡ（Wideband Code Division Multiple Access)、ＥＶ−ＤＯ（Evolution-Data Optimized））、或いは無線ＬＡＮ（ＩＥＥＥ８０２．１１ａ／ｂ／ｇ）、或いはＷｉＭＡＸ（Worldwide Interoperability for Microwave Access）、或いは広域ユビキタス通信システム、或いはＰＨＳ、或いはＦＷＡ（Fixed Wireless Access）、或いは電波を介して通信するシステムである。その通信方法として、無線モジュール部１１０は、回線交換通信、或いはｉモードといったパケット交換通信を利用する。
【００２６】
図２は、本実施形態におけるＯＮＵ装置１の光ファイバ回線１０１の故障検出時の通信経路切替処理の流れを示すフローチャートである。
ＯＮＵ装置１の電気・光／光・電気変換部１０２は、光ファイバ回線１０１から光信号を受信する（ステップＳ２０２）と、故障検出部１０４は、受信した光信号の強度などから光ファイバ回線１０１の故障（切断、歪み、曲げ等）の検出処理を行う（ステップＳ２０４）。例えば、故障検出部１０４は、予め決められ記憶された強度のしきい値と受信した光信号の強度を比較することによって、故障を検出する。
【００２７】
故障検出部１０４が光ファイバ回線１０１の故障の有無を判定し（ステップＳ２０６）、故障がないと判定された場合（ステップＳ２０６で「Ｎｏ」）、電気・光／光・電気変換部１０２は、受信した光信号を電気信号に変換し（ステップＳ２０８）、インタフェース変換部１０６に出力する。インタフェース変換部１０６は、電気信号をデジタル信号に変換し（ステップＳ２１０）、不図示のユーザ設備にデータを出力する（ステップＳ２１２）。
【００２８】
故障検出部１０４が光ファイバ回線１０１の故障の有無を判定し（ステップＳ２０６）、故障があると判定された場合（ステップＳ２０６で「Ｙｅｓ」）、故障検出部１０４は、ＯＮＵ装置１の不図示の表示装置へのエラーメッセージ等の表示やランプ点灯等による故障通知を行う（ステップＳ２１４）。
故障検出部１０４は、無線モジュール部１１０の電源に給電し、無線モジュール部１１０の電源を投入する（ステップＳ２１６）。経路切替部１０８は、光ファイバ回線１０１を利用した通信から無線回線を利用した通信にデータの通信経路を切り替える（ステップＳ２１８）。
【００２９】
上述のように、ＯＮＵ装置１は、光ファイバ回線１０１が故障していることを示す信号を、無線回線を利用した通信により局側にリアルタイムに通知することが可能となる。
なお、本実施形態では、光ファイバ回線１０１の故障が検出された際に無線モジュール部１１０への給電が開始されるとしたが、無線モジュール部１１０には常時給電しておき、ステップＳ２１４の処理後、ステップＳ２１８の処理を行ってもよい。
【００３０】
また、故障した光ファイバ回線１０１が修理されて光ファイバ回線１０１を利用した通信が復旧した場合、故障検出部１０４は、当該光ファイバ回線１０１に故障がないことを検出すると、即ち当該光ファイバ回線１０１が通信可能であることを検出すると、経路切替部１０８に光通信を選択する旨の信号を出力するようにしてもよい。これにより、経路切替部１０８は、無線を利用した通信から光ファイバ回線１０１を利用する通信への切り替える。電気・光／光・電気変換部１０２は、光信号を受信すると、当該光信号を電気信号に変換してインタフェース変換部１０６に出力すると共に、経路切替部１０８及びインタフェース変換部１０６を経由して入力された電気信号を光信号に変換して光ファイバ回線１０１に出力する。その結果、ＯＮＵ装置１は、光ファイバ回線１０１を利用した光通信を再開することができる。
【００３１】
また、ＯＮＵ装置１において、光ファイバ回線１０１を利用した通信が復旧した場合、外部から無線信号によりその旨を示す信号が無線モジュール部１１０に送信され、インタフェース変換部１０９を介して経路切替部１０８に出力され、経路切替部１０８が通信経路を切り替えるようにしてもよい。
【００３２】
以上のように、本実施形態によれば、ＯＮＵ装置１において、故障検出部１０４が光ファイバ回線１０１の故障を検出し、局側に早急に通知し、光ファイバ回線１０１の故障を局側に設置されたＯＬＴ装置に通知することができる。また、ＯＮＵ装置１は、自装置に接続された光ファイバ回線１０１が故障していても、無線モジュール部１１０を介した無線通信によりデータの送受信を行うことができる。
【００３３】
＜第２の実施形態＞
次に、第２の実施形態について説明する。
図３は、第２の実施形態におけるＯＮＵ装置１１の機能ブロック構成図である。
ＯＮＵ装置１１は、電気・光／光・電気変換部１０２、故障検出部１０４、インタフェース変換部１０６、経路切替部１０８、インタフェース変換部１０９、無線モジュール部３１０から構成され、識別子記憶部３１２を有する。識別子記憶部３１２は、ＯＮＵ装置１１を一意に識別するための識別情報が予め記憶されている。
【００３４】
電気・光／光・電気変換部１０２、故障検出部１０４、インタフェース変換部１０６、経路切替部１０８、インタフェース変換部１０９は、図１に示す第１の実施形態のＯＮＵ装置１の各部と同様の機能を有し、同様の動作を行うので、同じ符号を付し、その説明を省略する。ＯＮＵ装置１１は、無線モジュール部１１０に替えて無線モジュール部３１０を有する。無線モジュール部３１０は、無線モジュール部１１０の動作に加え、電源が投入されると識別子記憶部３１２から識別情報を読み出し、無線通信によって局側（通信事業者等）に読み出した識別情報を送信する。
【００３５】
図４は、本実施形態におけるＯＮＵ装置１１の光ファイバの故障検出時の通信経路切替処理の流れを示すフローチャートである。
ステップＳ４０２からステップＳ４１２の処理は、図２に示すステップＳ２０２からステップＳ２１２と同様の処理であるので、その説明を省略する。
故障検出部１０４が光ファイバ回線１０１の故障の有無を判定し（ステップＳ４０６）、故障があると判定された場合（ステップＳ４０６で「Ｙｅｓ」）、故障検出部１０４は、ＯＮＵ装置１１の不図示の表示装置へのエラーメッセージ等の表示やランプ点灯等による故障通知を行う（ステップＳ４１４）。
【００３６】
故障検出部１０４は、無線モジュール部３１０の電源に給電し、無線モジュール部３１０の電源を投入する（ステップＳ４１６）。無線モジュール部３１０は、識別子記憶部３１２から識別情報を読み出し、局側に送信する（ステップＳ４１８）。
通信事業者への通知方法としては、通信事業者側で準備した特別な電話番号等に接続して通信を行っても良いし、通信事業者が準備したＵＲＬにアクセスしてもよいし、通信事業者が準備したＩＰアドレスへデータ（識別情報等）を送信してもよい。
経路切替部１０８は、光ファイバ回線１０１を利用した通信から無線回線を利用した通信にデータの通信経路を切り替え（ステップＳ４２０）、通信を続行する。
【００３７】
こうして、ＯＮＵ装置１１は、ＯＮＵ装置１１に接続した光ファイバ回線１０１が故障していること、即ち、光ファイバ回線１０１の故障により、光通信が行えなくなった旨を示す信号と、自装置の識別情報とを無線モジュール部３１０により局側（通信事業者側）にリアルタイムに通知することが可能となる。例えば、局側にて、光通信が行えなくなったＯＮＵ装置１１を特定することで、故障の発生した光ファイバ回線を特定することを容易にすることができる。
なお、無線モジュール部３１０は、通信事業者へＯＮＵ装置１１の識別情報を通知した後に、通信を停止するようにしてもよい。
【００３８】
＜第３の実施形態＞
次に、第３の実施形態について説明する。
図５は、第３の実施形態におけるＯＮＵ装置２１の機能ブロック構成図である。
ＯＮＵ装置２１は、電気・光／光・電気変換部１０２、故障検出部１０４、インタフェース変換部１０６、経路切替部１０８、インタフェース変換部１０９、無線モジュール部１１０、プロトコルサービス規制処理部５１２から構成される。ＯＮＵ装置２１は、図１に示した第１の実施形態におけるＯＮＵ装置１の構成に加え、プロトコルサービス規制処理部５１２を設けた点のみが異なり、他の該当する箇所には同じ符号（１０２、１０４、１０６、１０８、１０９、１１０）を付して、その説明を省略する。
【００３９】
プロトコルサービス規制処理部５１２は、経路切替部１０８とインタフェース変換部１０９との間に設けられ、ユーザが無線回線を利用したデータ通信により利用できる通信プロトコルや通信サービスの規制、すなわちデータに対するフィルタリング処理を行う。具体的には、プロトコルサービス規制処理部５１２は、経路切替部１０８から入力されたデータのうち予め定められた通信プロトコル或いは通信サービスに該当するデータをインタフェース変換部１０９に出力せずに破棄し、それ以外のデータをインタフェース変換部１０９に出力する。また、プロトコルサービス規制処理部５１２は、インタフェース変換部１０９から入力されたデータのうち予め定められた通信プロトコル或いは通信サービスに該当するデータを経路切替部１０８に出力せずに破棄し、それ以外のデータを経路切替部１０８に出力する。
【００４０】
図６は、本実施形態におけるＯＮＵ装置２１の光ファイバの故障検出時の通信経路切替処理の流れを示すフローチャートである。
ステップＳ６０２からステップＳ６１２までの処理は、図２に示す第１の実施形態のステップＳ２０２からステップＳ２１２までの処理と同様であるので、その説明を省略する。
【００４１】
故障検出部１０４が光ファイバ回線１０１の故障の有無を判定し（ステップＳ６０６）、故障があると判定された場合（ステップＳ６０６で「Ｙｅｓ」）、故障検出部１０４は、ＯＮＵ装置２１の不図示の表示装置へのエラーメッセージ等の表示やランプ点灯等による故障通知を行う（ステップＳ６１４）。
故障検出部１０４は、無線モジュール部１１０の電源に給電し、無線モジュール部１１０の電源を投入する（ステップＳ６１６）。
プロトコルサービス規制処理部５１２は、無線回線を利用した通信で利用可能な通信プロトコル、或いは通信サービス、或いはその両方の設定を行う（ステップＳ６１８）。
経路切替部１０８は、光ファイバ回線１０１を利用した通信から無線回線を利用した通信にデータの通信経路を切り替える（ステップＳ６２０）。
【００４２】
本実施形態において、規制される通信プロトコルの例として、ＴＣＰ（Transmission Control Protocol）、ＵＤＰ（User Datagram Protocol）、ＳＩＰ（Session Initiation Protocol）、sendmail、ＳＭＴＰ（Simple Mail Transfer Protocol）、ＦＴＰ（File Transfer Protocol）、ＨＴＴＰ（HyperText Transfer Protocol）、ＨＴＴＰＳ（Hypertext Transfer Protocol Security）、ＳＳＨ（Secure Shell）などがある。
また、規制される通信サービスとして、メール、ＴＶ電話、電話、ファイルのダウンロード、チャット、ＩＰ電話等がある。
また、電話サービスにおいて、着信のみのサービス、或いは、「１１０番」、「１１９番」、「１１３番」といった特殊番号のみの発信サービスのみを認めるといった規制も可能であり、識別可能な通信プロトコル、通信サービスであれば規制の対象として定義してもよい。
これらの規制（フィルタリング）の対象となる通信プロトコル、通信サービスは予め定められておりＯＮＵ装置２１のプロトコルサービス規制処理部５１２に記憶されている。或いは、ＯＮＵ装置２１に記憶部を設け、当該記憶部に規制の対象となる通信プロトコル、通信サービスを定義したテーブルを記憶させ、無線回線に切り替えられた際に、プロトコルサービス規制処理部５１２が当該テーブルを読み出すことによりフィルタリング処理を行ってもよい。
【００４３】
このように、無線回線を利用した通信において利用可能な通信プロトコルや通信サービスを規制することによって、特定のデータ通信のみを行うことで通信処理速度を確保することができる。また、無線回線にて使用できる通信プロトコルや通信サービスを限定することにより、アクセス制御を行うことによりセキュリティを確保することができる。また、規制の対象となる通信プロトコル又は通信サービスに優先順位を設けることにより、緊急性の高いデータを優先して送信することができる。
なお、本実施形態のＯＮＵ装置２１にも第２実施形態のＯＮＵ装置１１（図３）と同様、自身を識別する識別子を記憶させ、無線通信によって局側に識別子を送信させてもよい。
【００４４】
＜第４の実施形態＞
次に、第４の実施形態について説明する。
図７は、本実施形態におけるＰＯＮ形態のネットワーク構成を示す図である。
図７に示すように、局（通信事業者）側には、ＯＬＴ装置（光回線終端装置）５１、故障箇所検出装置５３、無線回線終端装置５５がコアネットワーク６０に接続されて設置される。
【００４５】
故障箇所検出装置５３は、ＯＮＵ装置から送信される識別情報（識別子、ＩＤ等）からＰＯＮ形態の光通信ネットワークにおける故障箇所を検出する。また、故障箇所検出装置５３は、光通信ネットワークにおけるＯＮＵ装置の接続関係（ネットワーク・トポロジー）を示す接続関係情報を記憶する接続関係記憶部５３１と、ＯＮＵ装置から受信する識別情報と接続関係記憶部５３１に記憶されている接続関係情報とから光ネットワークにおいて故障の発生した光ファイバ回線を特定して出力する。
無線回線終端装置５５は、無線回線７０とコアネットワーク６０とを接続し、ＯＮＵ装置＃１〜＃３２から無線回線７０を介して送信される識別情報を、コアネットワーク６０を介して故障検出装置に送信する。なお、本実施形態においては、ＯＮＵ装置として、第２の実施形態のＯＮＵ装置１１を用いた場合について説明する。
【００４６】
図７に示すＰＯＮ形態の光通信ネットワークでは、局側に設置されたＯＬＴ装置（光回線収容装置）５１に、分岐装置Ｃ５が接続され、分岐装置Ｃ５に分岐装置Ｃ１、Ｃ２、Ｃ３、Ｃ４が接続される。各分岐装置Ｃ１、Ｃ２、Ｃ３、Ｃ４には、最大８台の加入者側設置の光回線終端装置（ＯＮＵ：Optical Network Unit）が接続される。したがって、ＯＬＴ装置５１には最大３２台のＯＮＵ装置（＃１〜＃３２）が接続される。ここで、分岐装置Ｃ１〜Ｃ５には、例えば、ファイバ型光カプラ、導波路型光カプラなどが用いられる。
【００４７】
図７に示すように、ＯＮＵ装置＃１〜＃８それぞれは、光ファイバ回線ｆ１〜ｆ８を介して分岐装置Ｃ１と接続される。ＯＮＵ装置＃９〜＃１６それぞれは、光ファイバ回線ｆ９〜ｆ１６を介して分岐装置Ｃ２と接続される。ＯＮＵ装置＃１７〜＃２４それぞれは、光ファイバ回線ｆ１７〜ｆ２４を介して分岐装置Ｃ３と接続される。ＯＮＵ装置＃２５〜＃３２それぞれは、光ファイバ回線ｆ２５〜ｆ３２を介して分岐装置Ｃ４と接続される。
【００４８】
分岐装置Ｃ５と分岐装置Ｃ１とは、光ファイバ回線ｆ３３によって接続される。分岐装置Ｃ５と分岐装置Ｃ２とは、光ファイバ回線ｆ３４によって接続される。分岐装置Ｃ５と分岐装置Ｃ３とは、光ファイバ回線ｆ３５によって接続される。分岐装置Ｃ５と分岐装置Ｃ４とは、光ファイバ回線ｆ３６によって接続される。分岐装置Ｃ５とＯＬＴ５１とは、光ファイバ回線ｆ３７によって接続される。
上述のように、ＯＮＵ装置＃１〜＃３２と、分岐装置Ｃ１〜Ｃ５と、光ファイバ回線ｆ１〜ｆ３７と、ＯＬＴ装置５１とにより光通信ネットワークが構成される。
【００４９】
通常、光ファイバ回線ｆ１〜ｆ３３に故障が発生しない限り、ＯＬＴ５１とＯＮＵ装置＃１〜＃３２との間には、光ファイバ回線ｆ１〜ｆ３７を利用したデータ通信が行われる。
故障箇所検出装置５３は、ＯＬＴ５１、分岐装置Ｃ１〜Ｃ５、ＯＮＵ装置＃１〜＃３２の上述の光通信ネットワークにおける接続関係（ネットワーク・トポロジー）を示す接続関係情報、を記憶する。
【００５０】
以下に、故障箇所検出装置５３による、ＯＬＴ５１とＯＮＵ装置＃１〜＃３２との間の光ファイバ回線ｆ１〜ｆ３７における故障箇所特定の例をいくつか示して説明する。
図８〜図１０は、故障箇所特定処理の一例を説明するための図である。
図８に示す光通信ネットワークでは、光ファイバ回線ｆ１７に切断箇所Ｐ１が存在する。このとき、ＯＮＵ装置＃１７は、図４に示す処理に従って光ファイバ回線ｆ１７の故障を検出し、自身の識別情報（ＩＤ）及び故障を検出した旨を示す情報を無線信号として、故障箇所検出装置５３に送信する。故障箇所検出装置５３は、ＯＮＵ装置＃１７から送信された識別情報を、無線回線７０、無線回線終端装置５５、コアネットワーク６０を介して受信する。
故障検出装置５３において、故障箇所特定部５３２は、ＯＮＵ装置＃１７から当該ＯＮＵ装置の識別情報と、当該ＯＮＵ装置が検出した故障を示す情報とを受信すると、受信したＯＮＵ装置＃１７の識別情報と、接続関係記憶部５３１に記憶されている接続関係情報とから、光ファイバ回線ｆ１７に切断等の故障箇所が存在することを検出する。
【００５１】
図９に示す光通信ネットワークでは、光ファイバ回線ｆ１７に切断箇所Ｐ２と、光ファイバ回線ｆ２４に切断箇所Ｐ３とが存在する。このとき、ＯＮＵ装置＃１７、ＯＮＵ装置＃２４のそれぞれは、図４に示す処理に従って、自装置に接続された光ファイバ回線の故障を検出し、自身の識別情報（ＩＤ）を無線モジュール部３１０により故障箇所検出装置５３に送信する。  故障検出装置５３において、故障箇所特定部５３２は、ＯＮＵ装置＃１７及びＯＮＵ装置＃２４から識別情報及び呼称を検出した旨を示す情報を、無線回線７０、無線回線終端装置５５、コアネットワーク６０を介して受信すると、ＯＮＵ装置＃１７及び＃２４の識別情報と、接続関係記憶部５３１に記憶されている接続関係情報とから光ファイバ回線ｆ１７、ｆ２４に切断等の故障箇所が存在することを検出する。
【００５２】
図１０に示す光通信ネットワークでは、光ファイバ回線ｆ３５に切断箇所Ｐ４が存在する。このとき、ＯＮＵ装置＃１７〜ＯＮＵ装置＃２４のそれぞれは、図４に示す処理に従って、故障検出部１０４が自身に接続された光ファイバ回線の故障検出し、無線モジュール部３１０が自身の識別情報（ＩＤ）を故障検出装置５３に送信する。
故障検出装置５３において、故障箇所特定部５３２は、ＯＮＵ装置＃１７〜ＯＮＵ装置＃２４から当該装置の識別情報及び故障を検出した旨を示す情報を、無線装置７０、無線回線終端装置５５、コアネットワーク６０を介して受信すると、ＯＮＵ装置＃１７〜＃２４の識別情報と、接続関係記憶部５３１に記憶されている接続関係情報とから光ファイバ回線ｆ３５に切断等の故障箇所が存在することを検出する。
【００５３】
上述のように、故障箇所検出装置５３の故障箇所特定部５３２は、ＯＮＵ装置から識別情報及び故障を検出した旨を示す情報に応じて、光通信ネットワークにおける光ファイバ回線の故障箇所を特定することができる。
【００５４】
なお、故障箇所特定部５３２は、故障したＯＮＵ装置の識別情報の組み合わせと、光通信ネットワークにおける光ファイバ回線の故障箇所とが対応付けられたテーブルを予め備え、当該テーブルを用いて故障箇所の検出を行うようにしてもよい。
また、故障箇所検出装置５３は、ＯＬＴ装置５１と接続する構成を示したが、コアネットワーク６０を介して接続する構成としてもよい。また、故障箇所検出装置５３は、独立した装置として説明したが、ＯＬＴ装置５１に含まれる構成とし、ＯＬＴ装置５１が故障を検出してもよい。
【符号の説明】
【００５５】
１、１１、２１、１０００…ＯＮＵ装置
１０１、１００１…光ファイバ回線
１０２、１００２…電気・光／光・電気変換部
１０４、１００４…故障検出部
１０６、１００６…インタフェース変換部
１０８…経路切替部
１０９…インタフェース変換部
１１０、３１０…無線モジュール部
３１２…識別子記憶部
５１２…プロトコルサービス規制処理部
５３１…接続関係記憶部
５３２…故障箇所特定部
【図１】
2010278620.tif 000003
【図２】
2010278620.tif 000004
【図３】
2010278620.tif 000005
【図４】
2010278620.tif 000006
【図５】
2010278620.tif 000007
【図６】
2010278620.tif 000008
【図７】
2010278620.tif 000009
【図８】
2010278620.tif 000010
【図９】
2010278620.tif 000011
【図１０】
2010278620.tif 000012
【図１１】
2010278620.tif 000013